(57)【特許請求の範囲】
【請求項１】
洗濯機外枠内に弾性支持された外槽と、前記外槽内に回転可能に設けられた洗濯兼脱水槽と、前記洗濯兼脱水槽を回転させる駆動手段と、前記洗濯兼脱水槽内の衣類を乾燥する乾燥装置とを備え、前記乾燥装置は、コンプレッサ、放熱器、吸熱器、並びにこれらを連結する冷媒循環パイプを有したヒートポンプと、前記ヒートポンプを収納し、洗濯機外枠に固定するケースと、前記ケースに収納した前記ヒートポンプを上方から覆うケースカバーを有し、前記コンプレッサは、前記冷媒循環パイプが上方に位置するように、底部を支持する防振ゴムと上部を支持する防振手段により支持して前記ケースに収容され、前記防振手段は、前記コンプレッサの上面外周部および上部周側面を支持するように構成するとともに、Ｕ字状弾性体とし、前記Ｕ字状弾性体の開口部にコンプレッサと冷媒循環パイプの接続部を配設した洗濯機。
【請求項２】
防振手段は、コンプレッサの変位に応じて接触部の接触面積が変化するように構成した請求項１記載の洗濯機。
【請求項３】
防振手段は、ケースカバーの天面との間に隙間を設け、前記ケースカバーの側部に固定した請求項１または２に記載の洗濯機。
【請求項４】
防振手段は、コンプレッサの上面と当接する接触部とケースカバーの天面との間に隙間を設けた請求項１〜３のいずれか１項に記載の洗濯機。
【請求項５】
防振手段は、冷媒循環パイプの上方に接触部の撓み量より大きい振動吸収空間を設けた請求項１〜４のいずれか１項に記載の洗濯機。
【発明の詳細な説明】
【技術分野】
【０００１】
本発明は、洗濯兼脱水槽内で洗濯物の洗濯からすすぎ、脱水、乾燥までを行い、洗濯物の乾燥用にヒートポンプを備えた洗濯機に関するものである。
【背景技術】
【０００２】
従来、この種の洗濯機は、洗濯物などの衣類を乾燥させる際に発生する水分を蒸発器（吸熱器）で回収し、その回収した潜熱を圧縮機により高温の冷媒状態に変換し、凝縮器（放熱器）で空気を加熱するエネルギーとして再利用している。このようにヒートポンプは僅かな放熱ロスがある以外、ほとんどのエネルギーを逃がさず再利用できるため、この種の洗濯機は、エネルギーの削減に効果があるものとして注目されている。（例えば、特許文献１参照）。また、乾燥のための循環風路を短くして圧損を低減し、ロスを減らしてエネルギーを削減するとともに、保守点検を容易にするために、ヒートポンプを本体の上部に配置することが考えられている（例えば、特許文献２参照）。また、圧縮機は、その下部と上部を弾性体で支持し、衝撃と振動を軽減するように設置されるのが一般的である（例えば、特許文献３参照）。
【０００３】
図８は、特許文献３に記載された従来の圧縮機の防振装置を示すものである。図８に示すように、圧縮機の密閉容器１の下端は、底部に溶接された板状の脚２を天然ゴム等の弾性体で形成された下部防振具３を介して下部支持基板４に固定することで弾性支持されている。圧縮機の密閉容器１の上端は、上部支持基板５の下面に形成した凹部５ａに嵌合固定された天然ゴム等の弾性体からなる中空の上部防振具６を圧接することで弾性支持されている。圧接位置は、ターミナルカバー７と干渉しないように離間している。密閉容器１の上部周側部を僅かな間隙を隔てて取り囲む係止部材８は、上部支持基板５に溶接等により取り付けられている。上述した構成により、圧縮機の駆動振動や輸送時の上下振動を吸収し、圧縮機の収納スペースも小さくしたものである。
【先行技術文献】
【特許文献】
【０００４】
【特許文献１】特開２００４−１３５７５４号公報
【特許文献２】特開２００４−１３５７１５号公報
【特許文献３】特開昭６０−１３２０８０号公報
【発明の概要】
【発明が解決しようとする課題】
【０００５】
しかしながら、前記従来の構成では、上部防振具６が中空構造になっているため上下方向の衝撃および振動に対して良好な弾性支持が得られないという問題があった。一般に、洗濯機では、脱水時に洗濯兼脱水槽が高速で回転し、洗濯兼脱水槽内で洗濯物が偏っていると大きな振動が発生する場合がある。このような脱水振動等で洗濯機が振動するとその振動は圧縮機に伝達され、圧縮機に接続されている冷媒循環パイプとの接続部に振動による応力が加わるという問題があった。また、横方向の振動に対しても、係止部材８と圧縮機の密閉容器１との間隙が小さいため、係止部材８の振動が圧縮機に伝達され、冷媒循環パイプとの接続部に振動による応力が加わるという問題があった。そして、洗濯機に搭載されたヒートポンプの保守点検を容易にするために、ヒートポンプを本体の上部に配設すると、圧縮機に加わる振動も大きくなり、防振がより困難になるという問題があった。
【０００６】
本発明は、前記従来の課題を解決するもので、圧縮機の振動を抑制し、冷媒循環パイプに加わる応力を低減することができる洗濯機を提供することを目的とする。
【課題を解決するための手段】
【０００７】
前記従来の課題を解決するために、本発明の洗濯機は、コンプレッサ、放熱器、吸熱器
、並びにこれらを連結する冷媒循環パイプを有したヒートポンプと、前記ヒートポンプを収納し、洗濯機外枠に固定するケースと、前記ケースに収納した前記ヒートポンプを上方から覆うケースカバーを有し、前記コンプレッサは、前記冷媒循環パイプが上方に位置するように、底部を支持する防振ゴムと上部を支持する防振手段により支持して前記ケースに収容され、前記防振手段は、前記コンプレッサの上面外周部および上部周側面を支持するように構成するとともに、Ｕ字状弾性体とし、前記Ｕ字状弾性体の開口部にコンプレッサと冷媒循環パイプの接続部を配設するように構成したものである。
【０００８】
これによって、脱水時の洗濯機外枠の振動によるコンプレッサの傾きや、上下方向の変位が抑制され、冷媒循環パイプに加わる応力を低減することができる。
【発明の効果】
【０００９】
本発明の洗濯機は、洗濯機外枠の振動によるコンプレッサの傾きや上下方向の変位を抑制し、コンプレッサに接続された冷媒循環パイプにかかる応力を低減することができる。
【図面の簡単な説明】
【００１０】
【図１】本発明の実施の形態１における洗濯機の断面図
【図２】（ａ）同洗濯機の乾燥装置の要部上面図（ｂ）同乾燥装置のＡ−Ａ断面図（ｃ）同乾燥装置のＢ−Ｂ断面図
【図３】本発明の実施の形態２における洗濯機の乾燥装置の要部平面図
【図４】本発明の実施の形態３における洗濯機の乾燥装置の要部断面図
【図５】本発明の実施の形態４における洗濯機の乾燥装置の要部断面図
【図６】本発明の実施の形態５における洗濯機の乾燥装置の要部断面図
【図７】本発明の実施の形態６における洗濯機の乾燥装置の要部断面図
【図８】従来のヒートポンプの要部断面図
【発明を実施するための形態】
【００１１】
第１の発明は、洗濯機外枠内に弾性支持された外槽と、前記外槽内に回転可能に設けられた洗濯兼脱水槽と、前記洗濯兼脱水槽を回転させる駆動手段と、前記洗濯兼脱水槽内の衣類を乾燥する乾燥装置とを備え、前記乾燥装置は、コンプレッサ、放熱器、吸熱器、並びにこれらを連結する冷媒循環パイプを有したヒートポンプと、前記ヒートポンプを収納し、洗濯機外枠に固定するケースと、前記ケースに収納した前記ヒートポンプを上方から覆うケースカバーを有し、前記コンプレッサは、前記冷媒循環パイプが上方に位置するように、底部を支持する防振ゴムと上部を支持する防振手段により支持して前記ケースに収容され、前記防振手段は、前記コンプレッサの上面外周部および上部周側面を支持するように構成するとともに、Ｕ字状弾性体とし、前記Ｕ字状弾性体の開口部にコンプレッサと冷媒循環パイプの接続部を配設するように構成したことにより、脱水時の洗濯機外枠の上下左右方向の振動によるコンプレッサの傾きや、上下方向の変位が抑制され、コンプレッサに接続された冷媒循環パイプにかかる応力を低減することができ、破損を防止することができる。
【００１３】
第２の発明は、特に、第１の発明の防振手段は、コンプレッサの変位に応じて接触部の接触面積が変化するように構成したことにより、洗濯機外枠またはコンプレッサの振動が小さい時は、接触部の接触面積も小さくなり、抑止力が減る反面振動伝達も減り、脱水時の洗濯機外枠の振動がコンプレッサに伝わりにくくなる。コンプレッサの駆動時では、コンプレッサの振動がケースを介して洗濯機外枠に伝わりにくくなり、洗濯機外枠の振動が低減される。洗濯機外枠またはコンプレッサの振動が大きい時は、接触部の接触面積が大きくなり、防振手段の振動抑止力も大きくなってコンプレッサの振れを抑制して冷媒循環パイプの破損を防止することができる。
【００１４】
第３の発明は、特に、第１または第２の発明の防振手段は、ケースカバーの天面との間に隙間を設け、前記ケースカバーの側部に固定したことにより、コンプレッサの上部が傾きながら振動してもその振動が小さい時は、隙間がその振動を吸収して振動伝達を小さくすることができる。また、振動が大きい時は、隙間が無くなることで接触部の抑止能力が発揮されて、コンプレッサの上部の揺れを確実に抑制することができる。
【００１５】
第４の発明は、特に、第１〜第３のいずれか１つの発明の防振手段は、コンプレッサの上面と当接する接触部とケースカバーの天面との間に隙間を設けたことにより、極小さな振動は隙間で吸収して振動伝達を極力小さくすることができ、それより大きい中から大の振動は接触部の面積変化で、その振動の大きさに応じて抑止力を変えてコンプレッサの揺れを抑えることができる。
【００１６】
第５の発明は、特に、第１〜第４のいずれか１つの発明の防振手段は、冷媒循環パイプの上方に接触部の撓み量より大きい振動吸収空間を設けたことにより、コンプレッサが上下に大きく振動しても冷媒循環パイプがケースカバーの上面に衝突することが無く、冷媒循環パイプの破損を防止することができる。
【００１７】
以下、本発明の実施の形態について、図面を参照しながら説明する。なお、この実施の形態によって本発明が限定されるものではない。
【００１８】
（実施の形態１）
図１は、本発明の第１の実施の形態における洗濯機の断面図、図２（ａ）同洗濯機の乾燥装置の要部上面図、（ｂ）同乾燥装置のＡ−Ａ断面図、（ｃ）同乾燥装置のＢ−Ｂ断面図である。
【００１９】
図１、図２において、洗濯機外枠３０は、３本の弾性体３１と、２本の減衰装置３２により外槽３３を弾性支持している。洗濯兼脱水槽３４は、外槽３３内に回転自在に配設している。モータ（駆動手段）３５は、ブラシレス直流モータで構成されており、インバータ制御され、回転速度を自在に変化させて洗濯兼脱水槽３４を回転させることができる。給水手段３６は洗濯兼脱水槽３４内に給水するものである。水位検知手段（図示せず）は、外槽３３内の洗濯水位を検知する。排水手段３８は、外槽３３内の洗濯水を排水するものである。制御装置３９は、洗濯機外枠３０の前面下部に設けられている。
【００２０】
制御装置３９は、洗濯機外枠３０の前面上部に設けられた操作表示手段４０により入力された設定内容に基づいて洗い、すすぎ、脱水、乾燥の各工程を逐次制御するもので、パワースイッチング手段（図示せず）を介してモータ３５、給水手段３６、排水手段３８などを逐次制御する。
【００２１】
減衰装置３２は、オイルを作動流体とする粘性ダンパーで、脱水起動時の外槽３３の共振振動振幅を低減するものであり、洗濯機外枠の底部３０ａと外槽３３の底部３３ａの間に固定されている。脚３７はゴムなどの弾性材料で構成され、洗濯機外枠の底部３０ａの四隅に配設されている。
【００２２】
ヒートポンプ４１のコンプレッサ４２を作動させることにより、冷媒がコンプレッサ４２、放熱器４３、吸熱器４４、冷媒循環パイプ４５を通って循環する。放熱器４３では冷媒の凝縮で熱が放出され、吸熱器４４では冷媒の蒸発で熱が吸収される。送風手段４６の送風と放熱器４３の熱の放出により、給気ダクト４８、給気口４９を通して洗濯兼脱水槽
３４へ乾いた温風を送り込み、モータ３５を駆動させ、洗濯兼脱水槽３４を回転させることで衣類を洗濯兼脱水槽３４内で撹拌しながら、衣類を乾燥させる。
【００２３】
洗濯兼脱水槽３４へ送り込まれた温風は、これら衣類の隙間を通るときに衣類から水分を奪い、湿った状態で洗濯兼脱水槽３４の周側面に設けた多数の小孔３４ａから外槽３３の内側へと抜け、さらに排気口５０を通過して排気ダクト５１に至る。そして、排気フィルター５２によりリントが除去された湿った温風は、吸熱器４４を通過する際に顕熱と潜熱を吸熱され、冷却除湿された空気と結露水とに分離される。冷却除湿された空気は放熱器４３を通り、乾いた温風となって再び洗濯兼脱水槽３４内に送られる。
【００２４】
乾燥装置５３は、上述したヒートポンプ４１、送風手段４６を含み、洗濯兼脱水槽３４に乾燥用空気を循環させる給気ダクト４８、給気口４９、排気口５０、排気ダクト５１等により構成している。
【００２５】
ケース５４は、ヒートポンプ４１と、送風手段４６を収容している。コンプレッサ４２は底部に防振ゴム４７を取り付けて、縦向きにケース５４内に設置され、吸熱器４４および放熱器４３を通過する乾燥用空気の送風経路から外れた位置に収納されており、冷媒循環パイプ４５は冷媒の流出側がコンプレッサ４２の上方から導出するように配管されている。
【００２６】
略円筒状に形成されているコンプレッサ４２の上部周側面４２ａと、上面外周部４２ｂに当接する防振手段５５が設置され、コンプレッサ４２の左右方向と上下方向を支持している。防振手段５５は、可撓性を有し、ブチルゴム等の損失係数が大きいゴム製で略リング状に形成され、内壁に接触部５５ａが形成されている。接触部５５ａはコンプレッサ４２の上部周側面４２ａと、上面外周部４２ｂに接触している。
【００２７】
ケースカバー５４ａは、ケース５４を上方から覆うもので、ケースカバー５４ａをケース５４の上面開口部に取り付けると、コンプレッサ４２、放熱器４３、吸熱器４４、防振手段５５が固定されることになる。乾燥装置５３は、洗濯機外枠３０の上部に載置して固定されている。このため、乾燥装置５３と洗濯兼脱水槽３４を連通させる給気ダクト４８と、排気ダクト５１を短くすることができ、送風時の圧力損出を低減して乾燥効率を向上させるとともに、メンテナンス性もよくしている。
【００２８】
以上のように構成された洗濯機について、以下その動作、作用を説明する。まず、洗濯兼脱水槽３４内に衣類と洗剤を投入後、操作表示手段４０を操作して運転を開始する。これによって、給水手段３６が動作し、洗濯兼脱水槽３４内に洗濯水が供給されるとともに洗濯兼脱水槽３４も回転を開始する。規定量の洗濯水が供給されると給水手段３６は給水を停止する。洗濯兼脱水槽３４の回転によって、洗剤は洗濯水に溶かされ、洗濯液となって衣類に浸透する。洗濯兼脱水槽３４は、３０〜５０ｒ／ｍｉｎの低速で回転して、衣類を持ち上げては落とすというたたき洗いを規定時間行う。
【００２９】
洗濯終了後、排水手段３８が作動し、汚れを溶かし込んだ洗濯水は、外槽３３の外に排水される。排水終了後、洗濯兼脱水槽３４の回転は徐々に速くなり脱水工程に入る。脱水起動後、洗濯兼脱水槽３４の回転数が上昇して１８０ｒ／ｍｉｎ近傍になると、衣類のアンバランスがある場合、第１の共振により外槽３３が左右方向に大きく振動する。その振動が洗濯機外枠３０を介してケース５４に伝わり、コンプレッサ４２も左右に揺れようとするが、防振ゴム４７と、防振手段５５により揺れが抑えられる。
【００３０】
洗濯兼脱水槽３４の回転数が上昇して２４０ｒ／ｍｉｎ近傍になると、第２の共振により外槽３３が前後方向に大きく振動する。この時、コンプレッサ４２も前後に揺れようと
するが、防振ゴム４７と、防振手段５５により揺れが抑えられる。洗濯兼脱水槽３４の回転数が更に上昇して３００ｒ／ｍｉｎ近傍になると、第３の共振により外槽３３が上下方向に大きく振動する。この時、コンプレッサ４２も上下に揺れようとするが、防振ゴム４７と、防振手段５５により揺れが抑えられる。
【００３１】
このように、コンプレッサ４２が大きく揺れようとしても防振ゴム４７と、防振手段５５に抑えられ、大きく振れることはない。洗濯兼脱水槽３４の回転数が上昇して６００ｒ／ｍｉｎ近傍になると洗濯機外枠３０が共振し、洗濯機外枠３０が大きく振動する。この時も洗濯機外枠３０の振動がケース５４に伝わるが、防振手段５５と防振ゴム４７によって吸収され、コンプレッサ４２が大きく振れることはない。
【００３２】
定常回転数である９００ｒ／ｍｉｎに達すると、洗濯機外枠３０は小さく振動し、それに伴ってケース５４も小さく振動するが、防振手段５５により完全に吸収されコンプレッサ４２が振動することはない。定常回転での脱水は約１５分程続くが、コンプレッサ４２が振動しないため、冷媒循環パイプ４５にも振動による応力が発生せず、冷媒循環パイプ４５が破損することはない。
【００３３】
乾燥工程ではコンプレッサ４２が駆動する。駆動直後は共振のためコンプレッサ４２は前後左右に大きく振動するが、防振ゴム４７、防振手段５５により振動が抑制され、冷媒循環パイプ４５の応力も小さくできるので、冷媒循環パイプ４５の破損は発生しない。また、定常運転になるとコンプレッサ４２は小さく振動する。この時、防振手段５５の振動抑止力は弱いが振動伝達は小さいので、防振手段５５でその振動を吸収し、ケース５４を介して洗濯機外枠３０に伝わるのを防止することができ、乾燥工程中の洗濯機外枠３０の振動は無くなり、振動による騒音も発生しない。
【００３４】
以上のように本実施の形態においては、コンプレッサ４２の上面外周部４２ｂと、上部周側面４２ａを支持する防振手段５５を設け、この防振手段５５によって、コンプレッサ４２の傾きと、上方への変位を抑制するようにしたことにより、脱水時の洗濯機外枠３０の上下左右方向の振動によるコンプレッサ４２の傾きや、上下方向の変位を抑制することができ、冷媒循環パイプ４５にかかる応力を少なくして破損を防止することができる。
【００３５】
（実施の形態２）
図３は、本発明の第２の実施の形態の乾燥装置の要部平面図である。本実施の形態の防振手段５５は、可撓性を有し、上面形状を略Ｕ字状に形成したＵ字状弾性体５５ｂで構成したものであり、このＵ字状弾性体５５ｂの開口部５５ｃには、冷媒循環パイプ４５の接続部４２ｃと、コンプレッサ４２の電気接続部４２ｄが位置している。また、Ｕ字状弾性体５５ｂは、コンプレッサ４２の上面外周部４２ｂの半周より多く支持している、すなわち、中心角度イが１８０度を超えて支持している（図３の実施例では約２４０度）。Ｕ字状弾性体５５ｂの開口方向には、コンプレッサ４２から放熱器４３、吸熱器４４への配管のための空間が設けられている。他の構成は本発明の実施の形態１と同様であり、同一の構成に同一の符号を付して、詳細な説明は実施の形態１のものを援用する。
【００３６】
Ｕ字状弾性体５５ｂは、コンプレッサ４２の上面外周部４２ｂの半周より多く支持しているため、冷媒循環パイプ４５の接続部４２ｃや電気接続部４２ｄを避けながら脱水時の共振振動によるコンプレッサ４２の前後方向の傾きと、上下方向の変位の両方を確実に抑制することができる。
【００３７】
（実施の形態３）
図４は、本発明の第３の実施の形態の乾燥装置の要部断面図である。本実施の形態の防振手段５５は、接触部５５ａの根元５５ｄの部分から先端５５ｅに向かって薄く（または
細く）なるように形成したものである。他の構成は本発明の実施の形態１と同様であり、同一の構成に同一の符号を付して、詳細な説明は実施の形態１のものを援用する。
【００３８】
これにより、コンプレッサ４２の変位に応じて接触部５５ａの変形量が変化し、コンプレッサ４２との接触面積は、変位が大きくなるにつれて大きくなる。洗濯機外枠３０またはコンプレッサ４２の振動が小さい時は、接触部５５ａの接触面積が小さく、抑止力が小さい反面、振動伝達も減り、脱水時の洗濯機外枠３０の振動がコンプレッサ４２に伝わりにくくなる。また、コンプレッサ４２の駆動時では、コンプレッサ４２の振動がケース５４を介して洗濯機外枠３０に伝わりにくくなり、洗濯機外枠３０の振動が低減される。
【００３９】
また、洗濯機外枠３０またはコンプレッサ４２の振動が大きい時は、接触部５５ａの接触面積が大きくなり、防振手段５５の振動抑止力も大きくなってコンプレッサ４２の振れを抑制し、冷媒循環パイプ４５にかかる応力を少なくして破損を防止することができる。
【００４０】
（実施の形態４）
図５は、本発明の第４の実施の形態の乾燥装置の要部断面図である。本実施の形態の防振手段５５は、ケースカバー５４ａの天面５４ｂとの間に隙間５４ｃを設け、ケースカバー５４ａの側部５４ｄに防振手段５５の側部５５ｆを固定したものである。他の構成は本発明の実施の形態１と同様であり、同一の構成に同一の符号を付して、詳細な説明は実施の形態１のものを援用する。
【００４１】
これより、コンプレッサ４２の上部が傾きながら振動してもその振動が小さい時は、隙間５４ｃがその振動を吸収し、ケースカバー５４ａへの振動伝達を小さくすることができる。また、振動が大きい時は、隙間５４ｃが無くなることで接触部５５ａの抑止能力が発揮されて、コンプレッサ４２の上部の揺れを確実に抑制することができる。
【００４２】
（実施の形態５）
図６は、本発明の第５の実施の形態の乾燥装置の要部断面図である。本実施の形態の防振手段５５は、コンプレッサ４２の上面外周部４２ｂと当接する接触部５５ａと、ケースカバー５４ａの天面５４ｂとの間に隙間５４ｃを設けたものである。他の構成は本発明の実施の形態１と同様であり、同一の構成に同一の符号を付して、詳細な説明は実施の形態１のものを援用する。
【００４３】
これにより、極小さな振動は隙間５４ｃで吸収して振動伝達を極力小さくすることができ、それより大きい中から大の振動は接触部５５ａの面積変化で、その振動の大きさに応じて抑止力を変えることができ、より細やかにコンプレッサ４２の揺れを抑えることができる。
【００４４】
（実施の形態６）
図７は、本発明の第６の実施の形態の洗濯機の乾燥装置の要部断面図である。本実施の形態の防振手段５５は、冷媒循環パイプ４５の上方に接触部５５ａの撓み量５５ｆより大きい振動吸収空間５６を設けたものである。他の構成は本発明の実施の形態１と同様であり、同一の構成に同一の符号を付して、詳細な説明は実施の形態１のものを援用する。
【００４５】
これより、コンプレッサ４２が上下に大きく振動しても冷媒循環パイプ４５がケースカバー５４ａの天面５４ｂに衝突することが無く、冷媒循環パイプ４５の破損を防止することができる。
【産業上の利用可能性】
【００４６】
以上のように、本発明にかかる洗濯機は、洗濯機外枠の振動によるコンプレッサの傾き
や上下方向の変位を抑制し、コンプレッサに接続された冷媒循環パイプにかかる応力を低減することができるので、洗濯機として有用である。
【符号の説明】
【００４７】
３０  洗濯機外枠
３３  外槽
３４  洗濯兼脱水槽
３５  モータ（駆動手段）
４１  ヒートポンプ
４２  コンプレッサ
４２ａ  上部周側面
４２ｂ  上面外周部
４３  放熱器
４４  吸熱器
４５  冷媒循環パイプ
５３  乾燥装置
５４  ケース
５４ａ  ケースカバー
５５  防振手段
【図１】
0005649039.tif 000002
【図２】
0005649039.tif 000003
【図３】
0005649039.tif 000004
【図４】
0005649039.tif 000005
【図５】
0005649039.tif 000006
【図６】
0005649039.tif 000007
【図７】
0005649039.tif 000008
【図８】
0005649039.tif 000009